(57)【要約】【課題】  ガラスの逆側からリーダーを利用できるＩＣタグ付きステッカーを得る。【解決手段】  データが格納されるＩＣ部と、該ＩＣ部がＲＦ信号の送受信に用いる２つのアンテナコイル部と、を有するステッカーであって、該ステッカーは、アンテナ線を内蔵するガラスに貼着されるときに、前記２つのアンテナコイル部が前記アンテナ線を跨ぐように配置されるものである。また、ステッカーが貼着されるガラスの面は、筐体の内面であって、ＩＣタグのリーダーは、前記ガラスの外面側から前記ガラスに内蔵されるアンテナ線によってＲＦ信号を送受信することができる。【選択図】  図１
2006011571.tif 000002
【特許請求の範囲】
【請求項１】
データが格納されるＩＣ部と、該ＩＣ部がＲＦ信号の送受信に用いる２つのアンテナコイル部と、を有するステッカーであって、該ステッカーは、アンテナ線を内蔵するガラスに貼着されるときに、前記２つのアンテナコイル部が前記アンテナ線を跨ぐように配置されることを特徴とするＩＣタグ付きステッカー。
【請求項２】
ステッカーが貼着されるガラスの面は、筐体の内面であって、ＩＣタグのリーダーは、前記ガラスの外面側から前記ガラスに内蔵されるアンテナ線によってＲＦ信号を送受信するものである請求項１のＩＣタグ付きステッカー。
【発明の詳細な説明】
【技術分野】
【０００１】
この発明は、ＩＣタグ付きステッカーであり、さらにいうと、アンテナ線が埋め込まれたガラスに対して貼着するときに、そのアンテナ線を利用して貼着した面の逆側から情報を利用することに関する。
【背景技術】
【０００２】
非接触状態にて情報の読書きが可能なＲＦ−ＩＤ等を利用して、情報をカードに記録し、カードを用いた情報管理が行われている。このようなカードやラベルによる優れた利便性から急速に普及が進んでいる。
【０００３】
このような、いわゆるＩＣタグを用いたステッカーとして、盗難自転車を発見するための登録シールやナンバープレートに利用することが提案されている（例えば、特許文献１）。
【特許文献１】特開２００３−１７０８７２号公報
【発明の開示】
【発明が解決しようとする課題】
【０００４】
自転車の登録シール等として用いる場合、情報を読書きするリーダーが、非接触型とはいえ、通常ＩＣタグの間近まで接近させられる必要があり、その距離に余裕を持たせるにはシールの面積を大きくすることになる。
【０００５】
また、自転車の登録シールのように、本体に直接貼り付ける場合には、剥がされてしまうと当然その機能は発揮できない。ガラスの内部から外に向けて表示するステッカーの場合、ＩＣタグを利用してガラスの外側からリーダーを接近させるときに、ガラスの厚み分の距離は必ず離れてしまい、同時にガラスを通すことによって信号が減衰し、リーダーにより読書きする作業は注意を必要とする。
【０００６】
したがって、この発明では、ガラスの逆側からリーダーを利用しやすいＩＣタグ付きステッカーを得ることを目的としている。
【課題を解決するための手段】
【０００７】
この発明の請求項１に係るＩＣタグ付きステッカーは、データが格納されるＩＣ部と、該ＩＣ部がＲＦ信号の送受信に用いる２つのアンテナコイル部と、を有するステッカーであって、該ステッカーは、アンテナ線を内蔵するガラスに貼着されるときに、前記２つのアンテナコイル部が前記アンテナ線を跨ぐように配置されることを特徴とするものである。
【０００８】
また、この発明の請求項２に係るＩＣタグ付きステッカーは、ステッカーが貼着されるガラスの面は、筐体の内面であって、ＩＣタグのリーダーは、前記ガラスの外面側から前記ガラスに内蔵されるアンテナ線によってＲＦ信号を送受信するものである。
【発明の効果】
【０００９】
請求項１に係るＩＣタグ付きステッカーは、２つのアンテナコイル部がガラスに埋め込まれたアンテナ線から誘導放射でＲＦ信号を放出させるので、リーダーをステッカーに対して接近するように注意して操作する必要がなく、情報の利用を簡便に行うことができる。
【００１０】
また、請求項２に係るＩＣタグ付きステッカーは、貼着されているガラスの逆の面からでも、リーダーによって情報を利用することができる。
【発明を実施するための最良の形態】
【００１１】
図１はこの発明を利用したＩＣタグ付きステッカーの構成図であり、図２は図１のＩＣタグ付きステッカーを車検証ステッカーに利用して、自動車のガラスに貼付した場合を示す説明図である。
【００１２】
車検証ステッカー１は、外形が長方形に形成され、その長手方向に対して２分するように２つのアンテナコイル部２１、２２が形成されていて、その間に、ＩＣ部３が配置されている。
【００１３】
このＩＣ部３には、詳細に説明しないが、車両や車検に関わる各種の情報が格納されており、車両番号、車台番号、車庫住所等が格納され、いわゆる車検証等に記載されている情報が全て格納されている。
【００１４】
このような車検証ステッカー１を自動車のフロントガラス（筐体のガラスに該当）に貼着する場合、図２に示すように、ガラスに埋め込まれたラジオ等のアンテナ線４を跨ぐ位置に車内側から貼り付ける。これによって、２つのアンテナコイル部２１、２２からアンテナ線４を誘導し、ＲＦ信号をアンテナ線４を利用して効率的に送受信することができる。
【００１５】
ここで、２つのアンテナコイル部２１、２２は互いにコイルの回転方向を逆にする必要がある。すなわち、同方向にしていると、アンテナコイル部２１が発生する磁界とアンテナコイル部２２が発生する磁界とがアンテナ線４に対して逆側に誘導して打ち消しあってしまう。そして、逆方向とすることで双方の磁界がアンテナ線４に対して同方向に誘導することとなり、アンテナ線４に効率よくＲＦ信号を発生させることができる。近年、車検証は小型化されており、その面積に対してアンテナコイルの大きさが制限されることから、車検証の面積では有効なＲＦ信号を発生させることが難しかったが、この実施形態では、ガラスに埋め込まれたアンテナ線４にＲＦ信号を発生させることで、図示しないリーダーを小さなステッカー１に近づけながら、ガラス面に接近させて注意してＲＦ信号を読み取らせるような操作は不要となる。
【００１６】
つぎに、上記のような車検証ステッカー１の利用方法について説明する。
【００１７】
例えば、一般車両の駐車違反取締り時において、通常は、車検証等の確認、検査済みの確認、所有者や運転者の確認を行っているが、上記の車検証ステッカー１を用いる場合には、取締り者は、駐車違反となる自動車のガラスにリーダーを近付けることにより、車検証ステッカー１はガラスに埋め込まれたアンテナ線４の誘導を利用して、アンテナ線４を中継線として誘導放射させることにより、簡単にリーダーによって情報を読み出すことができる。
【００１８】
そして、リーダーで読み出した情報を、図示しないパソコン等の処理端末を用い、衛星通信や携帯電話を利用したネットワークによりデータサーバにアクセスして情報を照合して読み出した情報が正しいかどうかを確認することができる。
【００１９】
読み出した情報が正確な場合に、その情報を利用して図示しない処理端末からデータサーバとは異なる駐車違反取締り用のサーバに記録することができる。そのため、情報について、取締り者がデータ入力するような作業または用紙に転記するような作業を軽減することができるとともに、正確な情報とすることができる。
【００２０】
なお、取締りとして、検問等でも同様である。さらに、ネットワークを経由してサーバにアクセスするときに、盗難車の確認を行うこともできる。
【００２１】
このように、ＩＣタグ付きの車検証ステッカー１を用いることによって、簡便に自動車に関する各種情報を確認することができること、取締り等の効率が上がること、確認の手間が省けること、データサーバと照合することができることとともに盗難車等の判別ができることのような効果がある。
【００２２】
この実施形態における車検証ステッカー１は、データが格納されるＩＣ部３と、該ＩＣ部３がＲＦ信号の送受信に用いる２つのアンテナコイル部２１、２２と、を有し、該ステッカー１は、アンテナ線４を内蔵するガラスに貼着されるときに、前記２つのアンテナコイル部２１、２２が前記アンテナ線４を跨ぐように配置されるものであって、２つのアンテナコイル部２１、２２がガラスに埋め込まれたアンテナ線４から誘導放射でＲＦ信号を放出させるので、図示しないリーダーを車検証ステッカー１に対して接近するように注意して操作する必要がなく、情報の利用を簡便に行うことができる。
【００２３】
また、車検証ステッカー１が貼着されるガラスの面は、筐体の内面であって、図示しないリーダーは、前記ガラスの外面側から前記ガラスに内蔵されるアンテナ線４によってＲＦ信号を送受信するので、この車検証ステッカー１は、貼着されているガラスの逆の面からでも、図示しないリーダーによって情報を利用することができる。
【図面の簡単な説明】
【００２４】
【図１】この発明のステッカーの構成図。
【図２】図１のステッカーをガラスに貼付した状態を示す説明図。
【符号の説明】
【００２５】
１  ステッカー
２１、２２  アンテナコイル部
３  ＩＣ部
４  アンテナ線
【図１】
2006011571.tif 000003
【図２】
2006011571.tif 000004